(57)【要約】【課題】利用者が求める任意の文章について任意に読み上げる操作を可能にして、利用者の意向に沿った操作によって利用者に便利なようにして音声読み上げのできる文章テキストを提供する。【解決手段】利用者端末からの指示信号に基づいて複数のテキストデータを格納するデータベースから選択されたテキストデータを読み込み、テキストデータを構成する各文章テキストを判別し、発音記号列生成プログラムによって、文章テキスト毎に発音記号列を生成し、各文章テキストに生成した文章毎発音記号列を添付する。各文章テキストに文章毎発音記号列が添付されたテキストデータと、音声変換合成プログラムを送信手段から利用者端末に送信する。【選択図】図１
2013097033.tif 000002
【特許請求の範囲】
【請求項１】
Ｗｅｂページに記述されたテキストデータを音声合成情報に変換する音声合成情報変換手段を備えて、ネットワークを介してテキストデータと共に音声合成情報を利用者端末に提供する音声合成情報付きのテキストデータ提供装置において、
発音記号列生成プログラム及び発音記号列を音声データに変換合成する音声変換合成プログラムを格納するデータベースと、
利用者端末からの指示信号に基づいて格納された複数のテキストデータから選択されたテキストデータを読み込み、前記発音記号列生成プログラムによって、テキストデータの文章テキスト毎に読む順序と読み方とからなる発音記号列を生成し、各文章テキストに生成した文章毎発音記号列を添付する文章毎発音記号列付きテキストデータ生成手段と、
文章毎発音記号列付きテキストデータ及び音声合成変換プログラムをネットワークを介して利用者端末に送信する送信手段と
を有することを特徴とする音声合成情報付きのテキストデータ提供装置。
【請求項２】
請求項１において、前記音声変換合成プログラムは、音声データを読み上げたい箇所としてテキストデータのいずれかの文章テキストが指示されると、当該文章テキストに添付された発音記号列を音声データに変換するプログラムであることを特徴とする音声合成情報付きのテキストデータ提供装置。
【請求項３】
請求項１において、前記音声変換合成プログラムが、利用者端末にインストールされず、そのブラウザ内に常駐し、ブラウザを閉じると消滅することを特徴とする音声合成情報付きのテキストデータ提供装置。
【請求項４】
請求項２において、前記発音記号列生成プログラムは、各文章テキストについて分割記号単位で文章テキストを区切って読む順序を読み方とからなる発音記号列を生成することを特徴とする音声合成情報付きのテキストデータ提供装置。
【請求項５】
Ｗｅｂページに記述されたテキストデータを音声合成情報に変換する音声合成情報変換手段を備えて、ネットワークを介してテキストデータと共に音声合成情報を利用者端末に提供する音声合成情報付きのテキストデータ提供装置による音声合成情報付きのテキストデータ提供方法において、
データベースに、発音記号列生成プログラム及び発音記号列を音声データに変換合成する音声変換合成プログラムを格納し、
文章毎発音記号列テキストデータ生成手段が、利用者端末からの指示信号に基づいて格納された複数のテキストデータから選択されたテキストデータを読み込み、前記発音記号列生成プログラムによって、文章テキスト毎に発音記号列を生成し、各文章テキストに生成した文章毎発音記号列を添付し、
送信手段が、各文章テキストに文章毎発音記号列を添付したテキストデータ及び音声合成変換プログラムをネットワークを介して利用者端末に送信すること
を有することを特徴とする音声合成情報付きのテキストデータ提供方法。
【請求項６】
請求項５において、前記音声変換合成プログラムが、音声データを読み上げたい箇所としてテキストデータ内のいずれかの文章テキストが指示されると、当該文章テキストに添付された発音記号列を音声データに変換するプログラムであることを特徴とする音声合成情報付きのテキストデータ提供方法。
【請求項７】
請求項５において、前記音声変換合成プログラムが、利用者端末にインストールされず、そのブラウザ内に常駐し、ブラウザを閉じると消滅することを特徴とする音声合成情報付きのテキストデータ提供方法。
【請求項８】
請求項５において、前記発音記号列生成プログラムは、各文章テキストについて分割記号単位で文章テキストを区切って読む順序を読み方とからなる発音記号列を生成することを特徴とする音声合成情報付きのテキストデータ提供方法。
【発明の詳細な説明】
【技術分野】
【０００１】
本発明は、音声合成情報付きのテキストデータ提供装置及びテキストデータ提供方法に関する。
【背景技術】
【０００２】
インターネットのホームページを含めたある種のテキストデータは、ＨＴＭＬ（Ｈｙｐｅｒ  Ｔｅｘｔ  Ｍａｒｋｕｐ  Ｌａｎｇｕａｇｅ）で記述される。
【０００３】
テキストデータなどの文字データを音声データに変換する音声合成システムが存在する。
【０００４】
特許文献１には、テキストデータを音声合成する音声合成装置が記載されている。
【０００５】
特許文献２には、ホームページの文書を新規作成するか、または既存の文書を読み込んでホームページの文書とすることが記載され、文書の読み上げ範囲を指定して、読み上げ範囲タグを挿入し、読み上げ識別子により識別される読み上げ検出テキストプログラムに、音声読み上げ範囲を渡すことが記載されている。
【０００６】
特許文献３には、取得したコンテンツの中で読み上げ箇所を特定し、特定した読み上げ箇所部分を音声データで読み上げて、ユーザに音声データで応答することが記載されている。
【先行技術文献】
【特許文献】
【０００７】
【特許文献１】特開２００３−１４０６７３号公報
【特許文献２】特開２００１−１０９６１２号公報
【特許文献３】特開２００３−９９０７９号公報
【発明の概要】
【発明が解決しようとする課題】
【０００８】
従来、Ｗｅｂサーバで、あるいはその他のサーバで選択されたテキストデータ、例えばホームページテキストデータについて音声合成プログラムを用いて音声データを生成し、テキストデータと共に利用者端末に送信し、利用者はその端末でテキストデータを閲覧する時に、音声読み上げ操作を行っていた。従来例にあっては、音声データを読み上げるツールは、利用者端末に内蔵されている。
【０００９】
しかし、このようなツールを利用者端末にインストールするには、管理者権限が必要とされ、インストールという行為自体が面倒なために利用者に敬遠されて来た。
【００１０】
特許文献２には、音声読み上げ範囲に、読み上げ範囲指定タグを挿入し、読み上げテキスト検出プログラムを識別するための読み上げテキスト識別子を読み上げ範囲指定タグの属性として指定することを行っているが、この例にあっても音声読み上げに当っては、音声読み上げのためのツールを利用者端末にインストールすることを要するものとなっている。
【００１１】
利用者には、テキストデータの任意の位置にある文章を読み上げたいとする希望がある。このため、利用者の意向に沿った操作が求められる。読み上げのためのツールを利用者端末にインストールすることは面倒なために利用者に敬遠されるばかりでなく、従来例のようにサーバ側で一括して音声データに変換しているため、利用者が求める任意の位置、すなわち任意の文章について任意に読み上げを操作できず、読み上げはサーバ側で一括して変換した音声データ全体について読み上げがなされていて、利用者に意向に沿った操作がなされないでいる。また、既存の利用者端末で音声合成のためのツールがインストールされている場合にあっても、インストールされたツールを使用しなくても利用者の意向に沿った操作が求められる。
【００１２】
本発明は、かかる点に鑑みて利用者が求める任意の文章について任意に読み上げる操作を可能にして、利用者の意向に沿った操作によって利用者に便利なようにして音声読み上げができるようにすることを目的とする。
【課題を解決するための手段】
【００１３】
本発明は、Ｗｅｂページに記述されたテキストデータを音声合成情報に変換する音声合成情報変換手段を備えて、ネットワークを介してテキストデータと共に音声合成情報を利用者端末に提供する音声合成情報付きのテキストデータ提供装置において、
発音記号列生成プログラム及び発音記号列を音声データに変換合成する音声変換合成プログラムを格納するデータベースと、
利用者端末からの指示信号に基づいて複数のテキストデータを格納するデータベースから選択されたテキストデータを読み込み、前記発音記号列生成プログラムによって、テキストデータの文章テキスト毎に読む順序と読み方とからなる発音記号列を生成し、各文章テキストに生成した文章毎発音記号列を添付する文章毎発音記号列付きテキストデータ生成手段と、
文章毎発音記号列付きテキストデータ及び音声合成変換プログラムをネットワークを介して利用者端末に送信する送信手段と
を有することを特徴とする音声合成情報付きのテキストデータ提供装置を提供する。
【００１４】
本発明は、また、上述した音声変換合成プログラムは、音声データを読み上げたい箇所としてテキストデータのいずれかの文章テキストが指示されると、当該文章テキストに添付された発音記号列を音声データに変換するプログラムであることを特徴とする音声合成情報付きのテキストデータ提供装置を提供する。
【００１５】
本発明は、また、上述した発音記号列生成プログラムは、各文章テキストについて分割記号単位で文章テキストを区切って読む順序を読み方とからなる発音記号列を生成することを特徴とする音声合成情報付きのテキストデータ提供装置を提供する。
【００１６】
本発明は、Ｗｅｂページに記述されたテキストデータを音声合成情報に変換する音声合成情報変換手段を備えて、ネットワークを介してテキストデータと共に音声合成情報を利用者端末に提供する音声合成情報付きのホームページテキストデータ提供装置による音声合成情報付きのテキストデータ提供方法において、
データベースに、発音記号列生成プログラム及び発音記号列を音声データに変換合成する音声変換合成プログラムを格納し、
文章毎発音記号列テキストデータ生成手段が、利用者端末からの指示信号に基づいて複数のテキストデータを格納するデータベースから選択されたテキストデータを読み込み、前記発音記号列生成プログラムによって、文章テキスト毎に発音記号列を生成し、各文章テキストに生成した文章毎発音記号列を添付し、
送信手段が、各文章テキストに文章毎発音記号列を添付したテキストデータ及び音声合成変換プログラムをネットワークを介して利用者端末に送信すること
を有することを特徴とする音声合成情報付きのテキストデータ提供方法を提供する。
【００１７】
本発明は、また、上述した音声変換合成プログラムが、音声データを読み上げたい箇所としてテキストデータ内のいずれかの文章テキストが指示されると、当該文章テキストに添付された発音記号列を音声データに変換するプログラムであることを特徴とする音声合成情報付きのテキストデータ提供方法を提供する。
【００１８】
本発明は、また、上述した発音記号列生成プログラムは、各文章テキストについて分割記号単位で文章テキストを区切って読む順序を読み方とからなる発音記号列を生成することを特徴とする音声合成情報付きのテキストデータ提供方法を提供する。
【００１９】
本発明がホームページテキストデータに適用されるとき、上述のテキストデータをホームページテキストデータと読み替えるものとする。
【発明の効果】
【００２０】
本発明は、上述のように発音記号列生成プログラム及び音声変換合成プログラムを用いて、テキストデータ、例えばホームページテキストデータの文章テキスト毎に発音記号列を生成し、特定された文章テキストの文章毎発音記号列を、音声データに変換して、利用者端末で利用し易いようにしているので、従来のように音声データにするツールを利用者端末にインストールすることを要しない。しかも文章テキスト毎に文章毎発音記号列と音声データに変換する音声変換合成プログラムを利用者端末に送信するので、利用者は、任意の文章テキストについて任意に指示して読み上げする操作が可能となり、利用者の意向に沿ったテキストデータ、例えばホームページが提供されることになる。
【図面の簡単な説明】
【００２１】
【図１】本発明の実施例を説明するブロック図。
【図２】音声合成情報付きのホームページテキストデータ提供装置の構成をブロックで示す図。
【図３】ホームページテキストの画面を示す図。
【図４】ＨＴＭＬ形式の文章テキストの状態遷移を示すイメージ図。
【図５】図４に示すイメージをより具体的にして示す図。
【発明を実施するための形態】
【００２２】
以下、本発明の実施例を図面に基づいて説明する。
【実施例】
【００２３】
図１は、本発明の実施例を説明するブロック図である。
図１において、本発明の実施例の音声合成情報付きのホームページテキストデータ提供装置１００は、サーバ１（サーバシステムという場合がある。）を含んで構成され、サーバ１にはＷｅｂサーバ２及び利用者端末がネットワーク４，５を介して接続されている。
本実施例は、ホームページを含む各種のコンテンツについてのテキストデータ提供に適用可能であるが、典型的な例としてのホームページについて説明する。
サーバ１とＷｅｂサーバ２とは一体のものとして構成されてもよいが、ここでは別体構成のものとして説明する。
【００２４】
サーバ１は、後述するようにそのデータベースに発音記号列生成プログラム１１及び音声変換合成プログラム１２をデータベースに格納する。
【００２５】
スクロールコントロールは、利用者端末のウィンドウ画面にコントロールパネル形体で表示され、コントロール形体を構成する制御項目をクリック（すなわちタッチ）することで画面制御を行うツールである。
【００２６】
このような構成において、利用者は、利用者端末３からＨＴＭＬ文書形式のホームページの取得要求をネットワーク５を介してホームページテキストデータ提供装置１００に行う。ホームページテキストデータ提供装置１００は、ネットワーク４を介してＷｅｂサーバ２に取得要求する。Ｗｅｂサーバ２は、多数のホームページをデータベースに格納している。
【００２７】
Ｗｅｂサーバ２は、取得要求された指示に基づいて該当のホームページを選択する。ホームページは、各種のホームページテキスト情報を含む。以下、このホームページテキスト情報をホームページテキストデータと称する。テキスト情報についてはテキストデータと称する。ホームページテキストデータは、複数の文章のテキストから（ＨＴＭＬ文書）から構成される。ホームページテキストデータはブロック単位で形成されるのは普通であり、従って、ホームページテキストデータはブロック単位で抽出されうる。
【００２８】
Ｗｅｂサーバ２は、選択されたホームページテキストデータをネットワーク４を介してホームページテキストデータ提供装置１００に送信する。これらのデータはサーバ１に格納される。
【００２９】
ホームページテキストデータ提供装置１００は、サーバ１に格納されてデータに基づいて、送信されたホームページテキストのＨＴＭＬ文書を解析、音声データの元データとなる発音記号列（言語解析データ）を作成する。
【００３０】
ホームページテキストデータ提供装置１００は、発音記号列付きのホームページテキストデータの文章テキスト及び音声変換合成プログラムをネットワーク５を介して利用者端末３に送信する。
【００３１】
利用者端末３は、送信された発音記号列を音声変換合成プログラムによって音声データとして、ホームページテキストデータの各文章テキストについての読み上げを行う。これによって、発音記号列から音声データが作成され、再生される。この音声データの再生のためのツールは利用者端末にインストールされず、発音記号列及び音声変換合成プログラムがホームページテキストデータ提供装置１００から送信される。利用者端末３に既に音声データツールがインストールされているのを妨げない。
【００３２】
このようにして、音声合成情報付きのホームページテキストデータ提供装置１００を含んだホームページテキストデータ提供システム２００が構成される。
【００３３】
図２を用いて本実施例を更に詳述する。
図２は、音声合成情報付きのホームページテキストデータ提供装置１００の構成をブロックで示す。
【００３４】
図２において、音声合成情報付きのホームページテキストデータ提供装置１００は、入力手段２１、文章毎発音記号列付きホームページテキストデータ生成手段２２、送信手段２４、サーバ１に格納されたデータベース２５及び画像表示手段２６から構成され、これらの手段は通信回路２７によって互いに結ばれ、データの授受がなされる。
【００３５】
上述したように、音声合成情報付きホームページテキストデータ提供装置１００は、ネットワーク４を介してＷｅｂサーバ２に接続され、ネットワーク５を介して利用者端末３に接続される。
【００３６】
上述したように、Ｗｅｂサーバ２は、ホームページテキストデータ提供装置１００からホームページの取得要求を受信し、該当のホームページの選択とホームページテキストデータの入力手段２１への送信を行う。
【００３７】
入力手段２１は、選択されたホームページテキストデータを入力する。
【００３８】
ホームページテキストデータは、ＨＴＭＬ文書形式の文章テキストの集合体として形成され、１つの文章テキストであるＨＴＭＬ文書、すなわち１つの文書テキストは分割記号を備える。
【００３９】
データベース２５は、発音記号列生成プログラム、音声変換プログラムを格納し、文章毎発音記号列付きホームページテキストデータ生成手段２２が生成した発音記号列付きホームページテキスト及び音声変換合成プログラムを格納する。
【００４０】
文章毎発音記号列付きホームページテキストデータ生成手段２２は、各文章テキストの分割記号を用いて、文書テキストをいくつかに区切ることを行う。
【００４１】
各文章テキストについて、発音記号列生成プログラムを用いて、各文章テキストの発音記号列の生成を行い、ホームページテキストデータへの添付を行う。
【００４２】
送信手段２４は、文章テキスト毎に発音記号列が添付されたホームページテキストデータ及び音声変換合成プログラムを利用者端末３に送信する。
【００４３】
生成されたこれらの文章テキスト毎の発音記号列が添付されたホームページテキストデータは、画像表示手段２６の表示画面に表示される。
【００４４】
以上のように、データベース２５は、発音記号列生成プログラム及び発音記号列を音声データに変換合成する音声変換合成プログラムを格納する。文章テキスト毎の音声変換合成プログラムは、文章テキスト毎に生成された言語解析データから音声データを生成し、再生できるプログラムであり、ブラウザに常駐するだけで、利用者端末３にインストールしないため、ブラウザを閉じるとプログラムは消滅する。このプログラムは、このように、利用者端末３にインストールせずに、ブラウザ上で動作するプログラムである。文章毎発音記号列付きホームページテキストデータ生成手段２２は、利用者端末３から指示信号に基づいて複数のテキストデータを格納するデータベースから選択されたホームページテキストデータを読み込み、ホームページテキストデータを構成する各文章テキストの分割記号を判読し、前記発音記号列生成プログラムによって、文章テキスト毎に発音記号列を生成し、各文章テキストに生成した文章毎発音記号列を添付する。
【００４５】
音声変換合成プログラムは、音声データを読み上げたい箇所としてホームページテキストデータのいずれかの文章テキストが指示されると、当該文章テキストに添付された文章毎発音記号列を用い、各文章テキストを識別子として音声データに変換するプログラムである。
【００４６】
図３は、表示されたホームページの表示例を示す。
画面に表示されるスクロールコントロールを制御して、文章テキストを特定して読み上げさせる。更に「巻き戻し」、「先送り」させることができる。
【００４７】
利用者端末３は、文章毎の発音記号列付きホームページテキストデータ及び音声変換合成プログラムの送信を受け、スクロールコントロールから音声データとして読み上げたい文章テキストを画面上で指定を受ける。文書テキストの文頭に指定欄を形成しておくこともできる。文章テキスト自体が音声データとして読み上げることを識別するための識別子となる。送信された音声変換合成プログラムは、ブラウザ上でのプログラムとして動作し、識別子となった文章テキストについて音声データとして読み上げる。識別子の付いた文章テキストは複数指定することが可能である。
【００４８】
このように、利用者端末３が送信された上述のデータに基づいて音声データを作成する。
【００４９】
利用者端末３で音声データを生成することにより、必要なときに必要な箇所（すなわち文章テキスト）を指定して音声データを生成でき、利用者の意向に沿った読み上げ操作、読み上げが可能となる。
【００５０】
図４は、ＨＴＭＬ形式の文章テキストの状態遷移を示すイメージ図である。
【００５１】
図４において、Ｗｅｂサーバ２からホームページテキストデータ提供装置１００にホームページテキストデータの一部の文章テキストである“今日は、天気が良いので、散歩します。”が送信されたことを想定する。
【００５２】
ホームページテキストデータ提供装置１００の文章毎発音記号列付きホームページテキストデータ生成手段２２は、データべースに格納されたプログラムで、「、」「。」など分割記号単位で文節を区切る。
【００５３】
分割記号は、以下の８つの記号で定義される。
・「、」
・「。」
・「？」
・「?」
・「！」
・「!」
・「  」（全角スペース）
・「 」（半角スペース）
次いで、読む順序を示した番号（属性）と、読み方からなる発音記号列を付加することを行う。これによって発音記号列が付加される。
【００５４】
生成した発音記号列をホームページテキストデータに添付し、送信手段から音声変換合成プログラムと共に利用者端末３へ送信する。
【００５５】
利用者端末３では、音声変換プログラムによって、発音記号列から音声データを作成し、発話する。
【００５６】
図５は、図４に示すイメージをより具体的にして示す。
読む順序を示した番号（属性）と読み方を付加した発音記号列を付加する。これによって、今日は天気が良いので、散歩します。というように発音記号列が付加された文章テキストが構成されることになる。
【００５７】
利用者端末でブラウザを起動し、サーバに最初にアクセスした際に、音声変換合成プログラムは、ホームページテキストデータと一緒に利用者端末にダウンロードされる。ダウンロードした音声変換プログラムは利用者端末のブラウザ内に常駐（操作可能に保持）するため、２回目以降のアクセスについては、ホームページテキストデータのみが利用者端末にダウンロードされる。音声変換合成プログラムは、ブラウザに常駐するだけで、利用者端末にインストールされないため、ブラウザを閉じると消滅する。ブラウザを再度立ち上げ、サーバにアクセスすると、ホームページテキストデータと共に音声変換プログラムが再び利用者端末にダウンロードされる。
【００５８】
図４及び図５において、ホームページテキストデータの文章テキストをＨＴＭＬ文書で実装する利点は次の通りである。
【００５９】
・記述形式の構造上、文字列とその音声データの対応付けなど、データの加工が容易
。
・記述形式が世界標準であるため、（ほぼ）全てのコンテンツに対して、音声データ
を付加できる。
・ＨＴＭＬ文章形式の表示プログラム（ブラウザ）と、それに付随するツール類（プ
ラグイン）が高機能であるため、他のテキストデータに比べて、加工が容易。
・画像や外部リンクなど、性質の異なるデータとテキストデータとを、ひとつのファ
イルに同居できる。
【００６０】
図４、図５において、データベースには予め発音記号列生成プログラム及び発音記号列を音声データに変換合成する音声変換合成プログラムが格納される。利用者端末３からホームページの取得指示がホームページテキストデータ提供装置１００経由でＷｅｂサーバ２になされ、Ｗｅｂサーバ２はこの指示に基づいてホームページを選択し、音声合成情報を利用者端末に提供するサーバに送信する。ホームぺージテキストデータ提供装置１００は、選択されたホームページの文章テキストの読み込みを行う。発音記号列生成プログラムによって各文章テキストの分割記号の判別を行う。
【００６１】
発音記号列生成プログラムによって発音記号列を生成する。これによって文章毎発音記号列が作成される。作成した文章毎発音記号列を文章テキストに添付する。文章テキストは文章テキスト毎に特定の文章テキストとされ、この特定の文章テキスト自体が識別子を構成する。
【００６２】
特定された文章テキストの文章毎発音記号列からなるホームページテキストデータに、音声変換合成プログラムが添付される。
【００６３】
生成された文章テキスト毎に発音記号列が生成されたホームページテキストデータ及び音声変換合成プログラムが利用者端末に送信される。これによって、利用者は、その利用者端末に目的としたホームページテキストデータ毎に生成された発音記号列及び音声変換合成プログラムを取得する。これらの発音記号列と音声変換合成プログラムは、ブラウザ上で動作されるデータ及びプログラムであり、利用者端末にインストールされることはない。
【００６４】
本実施例によって、機能を向上させた音声読み上げが可能になる。これによって、高齢者をはじめ視力の弱い人や色の識別が苦手の人のアクセシビリティを改善できることになる。これによって、ホームページをより利用しやすくなる。
【００６５】
利用者は、利用者端末の操作によって任意の文章テキストを指定して音声データの読み上げを指示する。この文章テキストが識別子の機能を有しているので、この文章テキストがこの文章テキストに添付されて来た発音記号列及び音声変換合成プログラムの機能・働きによって音声データに変換合成され、音声データでの読み上げがなされる。この音声データでの読み上げは、文章テキストについて読み上げ指示することによって繰り返して行うことができることになり、また任意の文章テキストを指定して、すなわち巻き戻し、先送りさせて行うことができることになる。
【００６６】
以上のように、テキストデータとしてホームページテキストが用いられる時の音声合成情報のホームページテキストデータ提供方法は、次のステップによって構成される。
【００６７】
データベースに、発音記号列生成プログラム及び発音記号列を音声データに変換合成する音声変換合成プログラムを格納するステップ
文章毎発音記号列付きホームページテキストデータ生成手段が、利用者端末から指示信号に基づいて複数のテキストデータを格納するデータベースから選択されたホームページテキストデータを読み込み、前記発音記号列生成プログラムによって、文章テキスト毎に発音記号列を生成し、各文章テキストに生成した文章毎発音記号列を添付するステップ
送信手段が、各文章テキストに文章毎発音記号列を添付したホームページテキストデータ及び音声合成変換プログラムをネットワークを介して利用者端末に送信するステップ
【００６８】
このように、ホームページ（サーバ）側ではなく、利用者端末側で音声データを作成することで、課題の解決がなされる。利用者端末で音声データを作成することにより、必要なときに必要な箇所（分）だけ音声データを作成できるため、利用者の意向に沿った簡便な読み上げ操作や、音声読み上げが可能になる。
【符号の説明】
【００６９】
１…サーバ、２…Ｗｅｂサーバ、３…利用者端末、４，５…ネットワーク、１１…発音記号列（言語解析データ生成プログラム）、１２…音声変換合成プログラム、２１…入力手段、２２…文章毎発音記号列付きホームページデータ生成手段、２４…送信手段、２５…データベース、１００…音声合成情報付きのホームページテキストデータ提供装置、２００…ホームページテキストデータ提供システム。
【図１】
2013097033.tif 000003
【図２】
2013097033.tif 000004
【図３】
2013097033.tif 000005
【図４】
2013097033.tif 000006
【図５】
2013097033.tif 000007